(57)【特許請求の範囲】
【請求項１】
複数回に分けて伝送しなければず、かつ、欠落が容認できないデジタルデータをリアルタイムに送受する送受信システムであって、
前記デジタルデータを所定の伝送単位のデータに分割する分割手段と、
前記分割手段により分割された分割データのうち、最初に送信する分割データには最初の分割データであることを示す情報を付加し、続いて送信する分割データのそれぞれには続く分割データであることを示す情報を付加する情報付加手段と、
前記分割手段により分割された分割データの総和を算出する送信データ総和算出手段と、
前記分割されて送信されるデジタルデータの送信終了を示す前記所定の伝送単位の終了データを、前記送信データ総和算出手段により算出された前記総和を含めて形成する終了データ形成手段と、
前記情報付加手段により情報が付加された前記分割データのそれぞれをリアルタイムに送信して、最後の前記分割データが送信された直後に、前記終了データ形成手段で形成された前記終了データを送信する送信手段と
を備える送信装置と、
前記送信装置からリアルタイムに送信されてくるデータを受信する受信手段と、
前記受信手段により受信されたデータのうち、前記最初の分割データであることを示す情報が付加された分割データを先頭データとし、前記続く分割データであることを示す情報が付加された分割データを今までに受信した最後の分割データの次に位置付けて、前記デジタルデータを復元する復元手段と、
前記受信手段により受信した前記最初の分割データであることを示す情報が付加された前記分割データと、前記続く分割データであることを示す情報が付加された前記分割データのそれぞれからなる受信データの総和を算出する受信データ総和算出手段と、
前記受信手段により受信したデータが、前記終了データであるか否かを判別する判別手段と
前記受信データ総和算出手段により算出された受信データの総和と、前記判別手段で判別された前記終了データに含まれた総和とを比較し、送信された前記デジタルデータのすべてを正常に受信したか否かを判定する判定手段とを備える受信装置と
を有することを特徴とする送受信システム。
【請求項２】
請求項１に記載の送受信システムであって、
前記デジタルデータの分割数は、予め定められており、
前記受信装置は、
前記最初の分割データであることを示す情報が付加された前記分割データと前記続く分割データであることを示す情報が付加された前記分割データとの数をカウントするカウント手段を備えることを特徴とする送受信システム。
【請求項３】
請求項１または請求項２に記載の送受信システムであって、
前記デジタルデータは、テキストデータであることを特徴とする送受信システム。
【請求項４】
請求項１または請求項２に記載の送受信システムであって、
前記送信装置と前記受信装置との間においては、デジタル化された主情報データをリアルタイムに伝送することができるようにされており、
前記デジタルデータは、前記主情報データについての複製制御情報、著作権情報、あるいは、前記主情報データを前記受信装置において予め決められた方式あるいは規格に応じて再生するようにするための付随データであることを特徴とする送受信システム。
【請求項５】
請求項１または請求項２に記載の送受信システムであって、
前記送信装置と前記受信装置との間においては、デジタル化された主情報データをリアルタイムに伝送することができるようにされており、
前記デジタルデータは、前記主情報データであるマルチチャンネルのデジタルオーディオデータを前記受信装置が、そのチャンネル数に応じて所定の方式あるいは規格に応じて再生するようにするための付随データであることを特徴とする送受信システム。
【請求項６】
複数回に分けて伝送しなければならず、かつ、欠落が容認できないデジタルデータを所定の伝送単位のデータに分割する分割手段と、
前記分割手段により分割された分割データのうち、最初に伝送する分割データには最初の分割データであることを示す情報を付加し、続いて伝送する分割データのそれぞれには続く分割データであることを示す情報を付加する情報付加手段と、
前記分割手段により分割された分割データの総和を算出する送信データ総和算出手段と、
前記分割されて送信されるデジタルデータの送信終了を示す前記所定の伝送単位の終了データを、前記送信データ総和算出手段により算出された前記総和を含めて形成する終了データ形成手段と、
前記情報付加手段により情報が付加された前記分割データのそれぞれをリアルタイムに送信して、最後の前記分割データが送信された直後に、前記終了データ形成手段で形成された前記終了データを送信する送信手段と
を備えることを特徴とする送信装置。
【請求項７】
請求項６に記載の送信装置であって、
前記デジタルデータは、テキストデータであることを特徴とする送信装置。
【請求項８】
請求項６または請求項７に記載の送信装置であって、
デジタル化された主情報データをリアルタイムに伝送することができるようにされており、
前記デジタルデータは、前記主情報データについての複製制御情報、著作権情報、あるいは、前記主情報データを受信装置において予め決められた方式あるいは規格に応じて再生するようにするための付随データであることを特徴とする送信装置。
【請求項９】
請求項６または請求項７に記載の送信装置であって、
主デジタルデータをリアルタイムに伝送することができるようにされており、前記デジタルデータは、前記主情報データであるマルチチャンネルのデジタルオーディオデータを前記受信装置が、そのチャンネル数に応じて所定の方式あるいは規格に応じて再生するようにするための付随データであることを特徴とする送信装置。
【請求項１０】
欠落が容認できないデジタルデータが所定の伝送単位のデータに分割され、この分割された分割データのうち、最初に送信される分割データには、最初の分割データであることを示す情報が付加され、続いて伝送する分割データのそれぞれには続く分割データであることを示す情報が付加されて、前記デジタルデータの最後の分割データが送信された直後には、前記分割データの総和を含み前記デジタルデータの送信終了を示す前記所定の伝送単位の終了データがリアルタイムに送信されるデータを受信する受信装置であって、
リアルタイムに送信されてくるデータを受信する受信手段と、
前記受信手段により受信されたデータのうち、前記最初の分割データであることを示す情報が付加された分割データを先頭データとし、前記続く分割データであることを示す情報が付加された分割データを今までに受信した最後の分割データの次に位置付けて、前記デジタルデータを復元する復元手段と
前記受信手段により受信した前記最初の分割データであることを示す情報が付加された前記分割データと、前記続く分割データであることを示す情報が付加された前記分割データのそれぞれからなる受信データの総和を算出する受信データ総和算出手段と、
前記受信手段により受信したデータが、前記終了データであるか否かを判別する判別手段と
前記受信データ総和算出手段により算出された受信データの総和と、前記判別手段で判別された前記終了データに含まれた総和とを比較し、送信された前記デジタルデータのすべてを正常に受信したか否かを判定する判定手段と
を備えることを特徴とする受信装置。
【請求項１１】
請求項１０に記載の受信装置であって、
前記デジタルデータの分割数は、予め定められており、
前記最初の分割データであることを示す情報が付加された分割データと前記続く分割データであることを示す情報が付加された分割データとの数をカウントするカウント手段を備えることを特徴とする受信装置。
【請求項１２】
請求項１０または請求項１１に記載の受信装置であって、
前記デジタルデータは、テキストデータであることを特徴とする受信装置。
【請求項１３】
請求項１０または請求項１１に記載の受信装置であって、
リアルタイムに送信されてくるデジタル化された主情報データを受信することができるものであり、
前記デジタルデータは、前記主情報データについての複製制御情報、著作権情報、あるいは、前記主情報データを受信側において予め決められた方式あるいは規格に応じて再生するようにするための付随データであることを特徴とする受信装置。
【請求項１４】
請求項１０または請求項１１に記載の受信装置であって、
リアルタイムに送信されてくるデジタル化された主情報データを受信することができるものであり、
前記デジタルデータは、前記主情報データであるマルチチャンネルのデジタルオーディオデータを受信側が、そのチャンネル数に応じて所定の方式あるいは規格に応じて再生するようにするための付随データであることを特徴とする受信装置。
【請求項１５】
複数回に分けて伝送しなければならなず、かつ、欠落が容認できないデジタルデータをリアルタイムに伝送する送受信方法であって、
送信装置において、
前記デジタルデータを所定の伝送単位のデータに分割する分割工程と、
前記分割工程おいて分割した分割データのうち、最初に伝送する分割データには最初の分割データであることを示す情報を付加し、続いて伝送する分割データのそれぞれには続く分割データであることを示す情報を付加する情報付加工程と、
前記分割工程において分割された分割データの総和を算出する送信データ総和算出工程と、
前記分割されて送信されるデジタルデータの送信終了を示す前記所定の伝送単位の終了データを、前記送信データ総和算出工程において算出された前記総和を含めて形成する終了データ形成工程と、
前記情報付加工程において情報が付加された前記分割データのそれぞれをリアルタイムに送信して、最後の前記分割データが送信された直後に、前記終了データ形成工程で形成された前記終了データを送信する送信工程と
を有し、
受信装置において、
前記送信装置からリアルタイムに送信されてくるデータを受信する受信工程と、
前記受信工程において受信したデータのうち、前記最初の分割データであることを示す情報が付加された分割データを先頭データとし、前記続く分割データであることを示す情報が付加された分割データを今までに受信した最後のデータの次に位置付けて、前記デジタルデータを復元する復元工程と、
前記受信工程において受信した前記最初の分割データであることを示す情報が付加された前記分割データと、前記続く分割データであることを示す情報が付加された前記分割データのそれぞれからなる受信データの総和を算出する受信データ総和算出工程と、
前記受信工程において受信したデータが、前記終了データであるか否かを判別する判別工程と、
前記受信データ総和算出工程において算出された受信データの総和と、前記判別工程で判別された前記終了データに含まれた総和とを比較し、送信された前記デジタルデータのすべてを正常に受信したか否かを判定する判定工程と
を有することを特徴とする送受信方法。
【請求項１６】
請求項１５に記載の送受信方法であって、
前記デジタルデータの分割数は、予め定められており、前記受信装置においては、
前記最初の分割データであることを示す情報が付加された前記分割データと前記続く分割データであることを示す情報が付加された前記分割データとの数をカウントするカウント工程を有することを特徴とする送受信方法。
【請求項１７】
請求項１５または請求項１６に記載の送受信方法であって、
前記デジタルデータは、テキストデータであることを特徴とする送受信方法。
【請求項１８】
請求項１５または請求項１６に記載の送受信方法であって、
前記送信装置と前記受信装置との間においては、デジタル化された主情報データをリアルタイムに伝送することができるようにされており、
前記デジタルデータは、前記主情報データについての複製制御情報、著作権情報、あるいは、前記主情報データを前記受信装置において予め決められた方式あるいは規格に応じて再生するようにするための付随データであることを特徴とする送受信方法。
【請求項１９】
請求項１５または請求項１６に記載の送受信方法であって、
前記送信装置と前記受信装置との間においては、デジタル化された主情報データをリアルタイムに伝送することができるようにされており、
前記デジタルデータは、前記主情報データであるマルチチャンネルのデジタルオーディオデータを前記受信装置が、そのチャンネル数に応て所定の方式あるいは規格に応じて再生するようにするための付随データであることを特徴とする送受信方法。
【発明の詳細な説明】
【０００１】
【発明の属する技術分野】
この発明は、例えば、デジタルオーディオデータなどを送受する送信装置と受信装置とからなる送受信システム、この送受信システムにおいて用いられる送信装置、受信装置および送受信方法に関する。
【０００２】
【従来の技術】
例えば、音楽（楽曲）などのデジタル化されたオーディオデータが、ＣＤ（Ｃｏｍｐａｃｔ  Ｄｉｓｃ）やＭＤ（Ｍｉｎｉ  Ｄｉｓｃ）などの記録媒体に記録されて、あるいは、通信ネットワークなどを通じて提供されている。そして、近年においては、従来のカテゴリに属さない新たなカテゴリのフォーマット（規格）でデジタル化されたオーディオデータが提供されるようになってきている。
【０００３】
例えば、ＤＶＤ−Ａｕｄｉｏ規格やＳＡＣＤ規格で作成されたオーディオデータが提供されるようになってきている。ここで、ＤＶＤは、Ｄｉｇｉｔａｌ  Ｖｅｒｓａｔｉｌｅ  Ｄｉｓｃの略称であり、ＳＡＣＤは、Ｓｕｐｅｒ  Ａｕｄｉｏ  Ｃｏｍｐａｃｔ  Ｄｉｓｃの略称である。
【０００４】
これらＤＶＤ−Ａｕｄｉｏ規格やＳＡＣＤ規格で作成したオーディオデータの周波数特性は１０万Ｈｚ（ヘルツ）、ダイナミックレンジは最高１４０ｄＢ（デシベル）である。従来のＣＤの周波数特性が２万Ｈｚまで、ダイナミックレンジが９６ｄＢであるので、ＤＶＤ−Ａｕｄｉｏ規格やＳＡＣＤ規格を用いることによって、圧倒的なパフォーマンスでオーディオデータを提供することができるようになってきている。
【０００５】
また、ＤＶＤ−Ａｕｄｉｏ規格は、いわゆるマルチチャンネル方式を採用し、オーディオデータ（音声情報）の作り手が、作成したオーディオデータを例えば１チャンネルから６チャンネルまでの任意のチャンネル数を使ってＤＶＤに記録することができるようにされており、家庭におけるいわゆるホームシアターなどにおいて、臨場感のある音声を再生して楽しむことができるようになってきている。
【０００６】
そして、デジタル化されたオーディオデータを電子機器間において伝送する場合には、伝送過程におけるノイズの影響などを考慮すると、アナログ信号に変換することなくデジタルデータのまま伝送することが望ましい。このため、ＤＶＤ−Ａｕｄｉｏ規格のような新たな規格で提供されるオーディオデータについてもデジタルバスを通じて電子機器間で伝送するようにすることが行われるようになってきている。
【０００７】
このように、デジタル化されたオーディオデータをデジタルバスで接続された電子機器間において伝送する場合には、被伝送データであるオーディオデータを予め決められた大きさの伝送単位に区分け（分割）し、区分けされた各伝送単位のデータごとにどのような規格で作成されたデジタルデータであるかを示すラベルを付してリアルタイム（実時間）伝送するようにすることが行われている。
【０００８】
リアルタイム伝送は、送信側の電子機器からのデータの送信の進行に同期して、送信されてきたデータを受信側の機器において受信するようにするものである。そして、このリアルタイム伝送の場合には、前述したように、どのような規格で作成されたデジタルデータであるかを示すラベルを付してデータを送信することにより、受信先の電子機器において、そのデジタルデータの規格を認識し、その規格に応じた方式で処理を行って、受信したオーディオデータを再生するなどのことができるようにされている。
【０００９】
【発明が解決しようとする課題】
ところで、前述したように、デジタルバスで接続された電子機器間において例えばデジタル化されたオーディオデータなどの伝送の主たる対象である主情報データをリアルタイム伝送する場合には、主情報データの他に、受信側の機器に対して付随データを伝送する必要が生じる場合がある。
【００１０】
例えば、前述したＤＶＤ−Ａｕｄｉｏ規格のリニアＰＣＭオーディオデータ伝送の場合には、マルチチャンネルのオーディオデータを受信側の機器において、その受信側の機器のチャンネル数に対応し、かつ、受信したオーディオデータをＤＶＤ−Ａｕｄｉｏ規格に則って処理を行い、予め想定された態様で音声を再生するようにするための付随データを送信する必要が生じる。
【００１１】
この付随データは、所定の伝送単位のデータとして１回で伝送できるものではない。したがって、付随データの全部を伝送するためには、付随データを分割し所定の伝送単位ごとに複数回に渡って伝送するようにしなければならない。しかしながら、付随データを所定の伝送単位ごとに複数回に渡って伝送するようにした場合、付随データの欠落が発生する場合があると考えられる。
【００１２】
オーディオデータなどの主情報データについては、各種の補間技術によって、その伝送過程においてある程度のデータの欠落が発生してもこれを容認（許容）することができる。しかし、付随データは、そのデータの１つ１つが重要な意味を持ち、他のデータに置き換えられてしまった場合には正常な再生処理が不能となってしまうため、オーディオデータのような補間技術を適用することはできない。したがって、所定の伝送単位の個々の付随データの識別や順序性の確保が問題になる。
【００１３】
このため、例えばＩＥＥＥ（Ｉｎｓｔｉｔｕｔｅ  Ｅｌｅｃｔｒｉｃａｌ  ａｎｄ  Ｅｌｅｃｔｒｏｎｉｃｓ  Ｅｎｇｉｎｅｅｒｓ）１３９４規格のデジタルインターフェースにおいて、例えば制御データなどの欠落が許されないデータを伝送する場合に用いられるアシンクロナス通信のような非同期通信方式を用いることが考えられる。
【００１４】
つまり、送信機器からのデータを受信した受信機器から、データを受信したことを示す応答を送信機器に返信するようにし、この応答を受信した場合に送信機器が次のデータを送信し、応答がない場合には、再度同じデータを送信するようにしてすべての付随データを確実に送信するようにする。しかし、これではリアルタイム性が失われてしまう。また、オーディオデータを同期通信方式によりリアルタイムに伝送し、付随データを非同期通信で伝送するというように、両者を異なる伝送方式で伝送するようにするのは面倒であり、送信装置、受信装置の負荷が大きくなってしまう。
【００１５】
また、別の方法として、所定の伝送単位に分割された付随データのそれぞれに、例えば順序付けされた異なるラベルを付加して伝送することも考えられる。しかし、この方法の場合には、ラベルの無駄使いとなり、ラベルの拡張性を小さくしてしまう。
【００１６】
また、所定の伝送単位に分割された付随データのそれぞれに異なるラベルを付加して伝送しようとすれば、送信側の機器においては、伝送単位ごとの付随データに付加する異なる多数のラベルを形成して、これを間違えることなく伝送単位ごとの付随データに付加しなければならないので、送信側の機器の負荷が大きくなる。
【００１７】
さらに、受信側の機器においても、伝送単位ごとの付随データのそれぞれに付加された付随データのそれぞれを認識し、これに応じて付随データの再構成を行うようにしなければならない。このため、受信側の機器の復号回路が複雑になり、受信側の機器の負荷も大きくなる。
【００１８】
このため、前述の付随データのように、データ量が多く複数回に別けて伝送しなければならないが、欠落が容認できないデジタルデータをリアルタイム伝送する場合において、ラベルの無駄使いをすることなく、かつ、送信側および受信側の電子機器の負荷を増大させることなく、デジタルデータを確実かつ正確に伝送できるようにすることが求められている。
【００１９】
以上のことにかんがみ、欠落が容認できないデジタルデータを送信側および受信側の電子機器の負荷を増大させることなく、確実かつ正確にリアルタイム伝送できるようにすることが可能な送受信システム、送信装置、受信装置および送信方法を提供することを目的とする。
【００２０】
【課題を解決するための手段】
上記課題を解決するため、請求項１に記載の発明の送受信システムは、複数回に分けて伝送しなければならず、かつ、欠落が容認できないデジタルデータをリアルタイムに送受する送受信システムであって、前記デジタルデータを所定の伝送単位のデータに分割する分割手段と、前記分割手段により分割された分割データのうち、最初に送信する分割データには最初の分割データであることを示す情報を付加し、続いて送信する分割データのそれぞれには続く分割データであることを示す情報を付加する情報付加手段と、前記分割手段により分割された分割データの総和を算出する送信データ総和算出手段と、前記分割されて送信されるデジタルデータの送信終了を示す前記所定の伝送単位の終了データを、前記送信データ総和算出手段により算出された前記総和を含めて形成する終了データ形成手段と、前記情報付加手段により情報が付加された前記分割データのそれぞれをリアルタイムに送信して、最後の前記分割データが送信された直後に、前記終了データ形成手段で形成された前記終了データを送信する送信手段とを備える送信装置と、前記送信装置からリアルタイムに送信されてくるデータを受信する受信手段と、前記受信手段により受信されたデータのうち、前記最初の分割データであることを示す情報が付加された分割データを先頭データとし、前記続く分割データであることを示す情報が付加された分割データを今までに受信した最後の分割データの次に位置付けて、前記デジタルデータを復元する復元手段と、前記受信手段により受信した前記最初の分割データであることを示す情報が付加された前記分割データと、前記続く分割データであることを示す情報が付加された前記分割データのそれぞれからなる受信データの総和を算出する受信データ総和算出手段と、前記受信手段により受信したデータが、前記終了データであるか否かを判別する判別手段と前記受信データ総和算出手段により算出された受信データの総和と、前記判別手段で判別された前記終了データに含まれた総和とを比較し、送信された前記デジタルデータのすべてを正常に受信したか否かを判定する判定手段とを備える受信装置とを有することを特徴とする。
【００２１】
この請求項１に記載の発明の送受信システムによれば、送信装置において前記分割手段により、その全部を正確に受信できないと受信側においては意味をなさないデジタルデータ（欠落が容認できないデジタルデータ）が、所定の伝送単位のデータに分割される。
【００２２】
そして、分割手段により分割されて形成された分割データのうち、情報付加手段により、最初に伝送する分割データには、最初の分割データであることを示す情報（スタートデータサブラベル）が付加され、これに続く分割データのそれぞれには、続く分割データであることを示す情報（継続データサブラベル）が付加される。これら情報が付加された分割データのそれぞれが、送信手段によりリアルタイム送信される。
【００２３】
送信装置からリアルタイム送信されるデジタルデータは、受信装置において、受信手段により受信される。そして、受信されたデジタルデータであって、送信装置からの分割データは、復元手段により、スタートデータサブラベルが付加された分割データか、継続データサブラベルが付加された分割データかが判別され、スタートデータサブラベルが付加された分割データを先頭データとし、継続データサブラベルが付加された分割データを、受信状態の如何にかかわらず今までに受信した最後の分割データの次に位置付けるようにして分割されて伝送されてきたデジタルデータが復元される。
【００２４】
これにより、例えば、デジタルデータの伝送中に何かしらの事情で伝送が中断した場合であって、伝送状態が回復した後に、受信装置において受信するデータをそのまま引き続き連続更新することができるか、最初からデータの伝送をやり直さなければならないかという送信機器が期待する２つの選択肢のどちらを選択すればよいかを上位のプロトコルの介在なしに受信側が判断して処理することができる。
【００２６】
また、送信装置からは、最後の分割データの直後において、終了データ形成手段により形成された終了データが、送信手段を通じて送信される。受信装置においては、判別手段により、終了データを受信したか否かを判別することができるようにされる。これにより、受信装置において、複数の分割データに分割されたデジタルデータを最後まで受信する事ができたか否かを確実に検出することができる。
【００２８】
また、送信装置の送信データ総和算出手段により、送信される分割データ（送信分割データ）の総和が算出され、この算出された送信分割データの総和が、終了データに含められて送信される。そして、受信装置においては、受信データ総和算出手段により、受信した分割データ（受信分割データ）の総和が算出される。この算出された受信分割データの総和と、受信した終了データに含まれる受信分割データの総和とが比較され、すべての分割データを正常に受信したか否かが判定するようにされる。
【００２９】
このように、送信した分割データの総和と受信した分割データの総和とを受信装置において比較することにより、分割データのすべてを正常に受信したか否かを簡単に、かつ、正確に判定することができる。
【００３０】
また、請求項２に記載の発明の送受信システムは、請求項１に記載の送受信システムであって、前記デジタルデータの分割数は、予め定められており、前記受信装置は、前記最初の分割データであることを示す情報が付加された前記分割データと前記続く分割データであることを示す情報が付加された前記分割データとの数をカウントするカウント手段を備えることを特徴とする。
【００３１】
この請求項２に記載の発明の送受信システムによれば、分割されて複数回に分けて伝送されるデジタルデータのデータ長は、予め決まっており、伝送単位も予め決まっているので、その分割数も予め決まり、送信機器、受信機器の双方において共通に認識することができる。そこで、受信装置において、受信した分割データの数をカウント手段によりカウントし、これを管理する。
【００３２】
これにより、受信した分割データの数を管理することにより、分割データの受信過程を正確に管理することができるとともに、送信された分割データの全部を欠落することなく受信したか否かを正確に知ることができる。
【００３３】
また、請求項３に記載の発明の送受信システムは、請求項１または請求項２に記載の送受信システムであって、前記デジタルデータは、テキストデータであることを特徴とする。
【００３４】
この請求項３に記載の発明の送受信システムによれば、欠落を許容することができないデジタルデータとしてテキストデータを伝送することができるようにされる。これにより、テキストデータを分割して伝送する場合に、伝送効率を劣化させることなく、かつ、信頼性をも確保して伝送するようにすることができる。
【００３５】
また、請求項４に記載の発明の送受信システムは、請求項１または請求項２に記載の送受信システムであって、前記送信装置と前記受信装置との間においては、デジタル化された主情報データをリアルタイムに伝送することができるようにされており、前記デジタルデータは、前記主情報データについての複製制御情報、著作権情報、あるいは、前記主情報データを前記受信装置において予め決められた方式あるいは規格に応じて再生するようにするための付随データであることを特徴とする。
【００３６】
この請求項４に記載の発明の送受信システムによれば、欠落を許容することができないデジタルデータは例えばオーディオデータなどの主情報データについての複製制御情報、著作権情報、主情報データを予め決められた方式や規格に応じて再生するようにするための付随データであり、これら複製制御情報や著作権情報や付随データが所定の伝送単位に分割されて伝送するようにされる。
【００３７】
これにより、複製制御情報や著作権情報や付随データなどを分割して伝送する場合に、伝送効率を劣化させることなく、かつ、信頼性をも確保して伝送するようにすることができる。
【００３８】
また、請求項５に記載の発明の送受信システムは、請求項１または請求項２に記載の送受信システムであって、前記送信装置と前記受信装置との間においては、デジタル化された主情報データをリアルタイムに伝送することができるようにされており、前記デジタルデータは、前記主情報データであるマルチチャンネルのデジタルオーディオデータを前記受信装置が、そのチャンネル数に応じて所定の方式や規格に応じて再生するようにするための付随データであることを特徴とする。
【００３９】
この請求項５に記載の発明の送受信システムによれば、欠落を許容することができないデジタルデータは、例えばＤＶＤ−Ａｕｄｉｏ規格のマルチチャンネルのリニアＰＣＭオーディオデータを伝送する場合に伝送される付随データであって、オーディオデータを受信機器のチャンネル数のオーディオ信号にダウンミックス処理するための係数や計算方法などを示すものであり、この付随データが所定の伝送単位に分割されて伝送するようにされる。
【００４０】
これにより、ダウンミックス処理のための付随データなどを分割して伝送する場合に、伝送効率を劣化させることなく、かつ、信頼性をも確保して伝送するようにすることができる。
【００４１】
【発明の実施の形態】
以下、図を参照しながら、この発明による送受信システム、送信装置、受信装置および送受信方法の一実施の形態について説明する。以下の実施の形態においては、ＤＶＤ−Ａｕｄｉｏ規格でＤＶＤディスクに記録されているオーディオデータ（デジタルオーディオデータ）をＩＥＥＥ１３９４規格のデジタルバスを通じて伝送する場合を例にして説明する。
【００４２】
図１は、この発明による送受信システム、送信装置、受信装置および送受信方法が適用されたこの実施の形態の送受信システムの概要を説明するための図である。図１に示すように、この実施の形態の送受信システムは、ＤＶＤプレーヤ１と、オーディオアンプ装置（以下、単にオーディオアンプという。）３とが、ＩＥＥＥ１３９４規格のデジタルバス２を通じて接続されて形成されたものである。
【００４３】
そして、この実施の形態においては、ＤＶＤプレーヤ１に装填されたＤＶＤディスクから読み出されたオーディオデータが、ＤＶＤプレーヤ１からデジタルバス２を通じてオーディオアンプ３に供給される。オーディオアンプ３は、これに供給されたオーディオデータから左右２チャンネルのアナログオーディオ信号を形成し、これを左右のスピーカ４Ｌ、４Ｒに供給する。これにより、ＤＶＤプレーヤ１によってＤＶＤディスクから読み出されたオーディオデータに基づく音声が、オーディオアンプ３に接続された左右のスピーカ４Ｌ、４Ｒから放音するようにされる。
【００４４】
そして、この実施の形態においては、前述したように、ＤＶＤディスクに記録されているオーディオデータは、ＤＶＤ−Ａｕｄｉｏ規格で記録されたものであり、いわゆるマルチチャンネルのオーディオデータである。つまり、ＤＶＤプレーヤ１からオーディオアンプ３に供給されるオーディオデータは、例えば、１チャンネルから６チャンネルまでの、ディスクのコンテンツにおいて任意のチャンネル数のマルチチャンネルのオーディオデータである。
【００４５】
したがって、オーディオアンプ３においては、マルチチャンネルのオーディオデータを左右の２チャンネルのオーディオデータにするいわゆるダウンミックス処理を行う必要が生じる。このため、ＤＶＤプレーヤ１からは、マルチチャンネルのオーディオデータの他、ＤＶＤディスクから読み出すデータであって、ＤＶＤ−Ａｕｄｉｏ規格に則った方式でダウンミックス処理を行うために必要なデータであるＤＭＣＴデータ等のいくつかの必要なデータを付随データとして、オーディオアンプ３にデジタルバス２を通じて供給する。
【００４６】
オーディオアンプ３は、ＤＶＤ−Ａｕｄｉｏ規格のマルチチャンネルのオーディオデータの他、ＤＭＣＴデータ等のいくつかの必要なデータの供給を受け、この付随データを用いてＤＶＤ−Ａｕｄｉｏ規格に応じたダウンミックス処理を行い左右２チャンネルのオーディオデータを形成することができるようにされたものである。
【００４７】
図２は、図１に示した送受信システムをさらに説明するための図である。図２に示すように、ＤＶＤプレーヤ１は、読み出し部１１、復号部１２、デジタルＩ／Ｆ部１３、ＩＥＥＥ１３９４規格のデジタルバスに合致するデジタル入出力端子１４、制御部１５を備えたものである。なお、この明細書においては、デジタルＩ／Ｆ部１３のように、Ｉ／Ｆという記載をインターフェースの略称として用いる。
【００４８】
また、オーディオアンプ３は、ＩＥＥＥ１３９４規格のデジタルバスに合致するデジタル入出力端子３１、デジタルＩ／Ｆ部３２、音声信号処理部３３、左右のアナログオーディオ信号の出力端子３４Ｌ、３４Ｒ，制御部３５を備えたものである。
【００４９】
そして、図２において、参照符号１００は、ＤＶＤプレーヤ１に装填された記録媒体であるＤＶＤディスクを示している。この実施の形態において、ＤＶＤディスク１００は、前述もしたように、ＤＶＤ−Ａｕｄｉｏ規格でオーディオデータが記録されたものである。ＤＶＤディスク１００に記録されているデジタルデータは、光ピックアップなどを備える読み出し部１１により読み出される。読み出し部１により読み出されたデジタルデータは、ＤＶＤ−Ａｕｄｉｏの復号器１２に供給される。
【００５０】
復号器１２は、これに供給されたデジタルデータから、オーディオデータやオーディオアンプ３において行われるダウンミックス処理のために必要となるＤＭＣＴデータなどの付随データなどを分離し、これらをデジタルＩ／Ｆ部１３に供給する。デジタルＩ／Ｆ部１３は、復号器からのオーディオデータや付随データから、送信する形式のオーディオデータや付随データを形成し、これらをデジタル入出力端子１４を通じてデジタルバス２に送出する。
【００５１】
デジタルバス２は、前述したように、ＩＥＥＥ１３９４規格のデジタルバスである。このため、この実施の形態において、ＤＶＤプレーヤ１とオーディオアンプ３との間においては、ＩＥＥＥ１３９４規格において規定されているＡ＆Ｍプロトコル（Ａｕｄｉｏ  ａｎｄ  Ｍｕｉｓｃ  Ｄａｔａ  Ｔｒａｎｓｍｉｓｓｉｏｎ  Ｐｒｏｔｏｃｏｌ）のＡＭ８２４Ｄａｔａと呼ばれるフォーマットでオーディオデータなどのデジタルデータを伝送する。
【００５２】
Ａ＆Ｍプロトコルは、同期通信方式であるアイソクロナス（Ｉｓｏｃｈｒｏｎｏｕｓ）通信を用いてオーディオデータやビデオデータなどのリアルタイムデータを伝送するための規約であるＡＶプロトコルの１つとして規定されているものである。
【００５３】
図３は、この実施の形態において、オーディオデータを送信するための伝送データフォーマットであるＡＭ８２４Ｄａｔａについて説明するための図である。
ＡＭ８２４Ｄａｔａは、図３に示すように、ＩＥＥＥ１３９４規格においてのデータの伝送単位である３２ｂｉｔ（ビット）（３２ｂｉｔ＝１ｑｕａｄｌｅｔ）のデータ長を有し、データの内容を識別するためのラベルが付加される８ビットのラベル（ＬＡＢＥＬ）部と、オーディオデータなどの主情報データが格納される２４ビットのデータ（ＤＡＴＡ）部とからなるものである。
【００５４】
図４は、図３に示したＡＭ８２４Ｄａｔａの最上位ビット（ＭＳＢ）側に設けられる８ビットのラベル部において用いられる具体的なラベルについて説明するための図である。図４の左側の値の欄には、使用可能なラベルを１６進数で示している。また、図４の右側の欄には、各ラベルが示す意味内容を示している。
【００５５】
なお、図４の左側の値の欄などにおいて、アルファベットの「ｈ」は、これより前に記載された数字や文字が１６進数（ｈｅｘａｄｅｃｉｍａｌ  ｎｕｍｂｅｒ）表現であることを示すものである。このように、この明細書においては、数字やアルファベットのＡ、Ｂ、Ｃ、Ｄ、Ｅ、Ｆの後ろに付加されたアルファベットの「ｈ」は、これより前に記載された数字や文字が１６進数（ｈｅｘａｄｅｃｉｍａｌ  ｎｕｍｂｅｒ）表現であることを示すものとして用いる。
【００５６】
そして、この実施の形態においては、図４に示すように、ラベルとして、００ｈから３Ｆｈまでは、ＩＥＣ６０９５８  コンフォーマント用に割り当てられており、既存のバイフェース変調されたＩＥＣ９５８デジタルＩ／Ｆと同じデータ構造でのリニアＰＣＭ（Ｐｕｌｓｅ  Ｃｏｄｅ  Ｍｏｄｕｌａｔｉｏｎ）やノンリニアＰＣＭの伝送用に用いられる。４０ｈから４Ｆｈまでは、マルチ  ビットリニア  ＰＣＭオーディオ用に割り当てられており、例えば、ＤＶＤ−Ａｕｄｉｏ規格のリニアＰＣＭオーディオデータの伝送用等に用いられる。
【００５７】
また、５０ｈから５７ｈまでは、ワン  ビット  オーディオ（Ｐｌａｉｎ）用に割り当てられ、５８ｈから５Ｆｈまでは、ワン  ビット  オーディオ（Ｅｎｃｏｄｅｄ）用に割り当てられる。これらは、例えば、ＳＡＣＤ規格のオーディオデータの伝送用に用いられる。また、８０ｈから８３ｈまでは、ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）  コンフォーマント用に割り当てられ、ＭＩＤＩ規格のオーディオデータの伝送に用いられる。
【００５８】
また、８８ｈから８Ｂｈまでは、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）  タイム  コード  コンフォーマント用に割り当てられており、ＬＴＣ（Ｌｏｎｇｉｔｕｄｉｎａｌ  Ｔｉｍｅ  Ｃｏｄｅ）の伝送に用いられる。
【００５９】
さらに、Ｃ０ｈからＥＦｈまでは、付随データ（Ａｎｃｉｌｌａｒｙ  Ｄａｔａ）用に割り当てられている。このラベルは、例えば、ＤＶＤ−Ａｕｄｉｏデータ伝送におけるＤＭＣＴデータなどの付随データを伝送する場合に用いられる。
【００６０】
なお、この実施の形態においては、図４に示したように、６０ｈから７Ｆｈまで、８４ｈから８７ｈまで、９０ｈからＢＦｈまで、および、Ｆ０ｈからＦＦｈまでは、将来の使用のために確保されているが、現在は未使用となっているラベルである。
【００６１】
そして、前述したように、この実施の形態においては、ＤＶＤプレーヤ１からオーディオアンプ３に伝送するオーディオデータは、ＤＶＤ−Ａｕｄｉｏ規格のリニアＰＣＭオーディオデータである。このため、図２に示したＤＶＤプレーヤ１のデジタルＩ／Ｆ部１３においては、オーディオデータを２４ビットごとに分割し、この分割したオーディオデータに４０ｈから４Ｆｈまでのラベルを付加して、図３に示したフォーマットの伝送データを形成し、これをデジタルバス２に送出してオーディオアンプ３に伝送するようにする。
【００６２】
また、ＤＶＤプレーヤ１からオーディオアンプ３には、オーディオデータの他、前述したＤＭＣＴデータなどの付随データも送信される。この付随データについても、基本的には、ＡＭ８２４Ｄａｔａのフォーマットで伝送されることになる。しかし、付随データを伝送するための伝送データには、ラベルの他にサブラベルを付加する。
【００６３】
図５は、付随データを伝送するためのＡＭ８２４Ｄａｔａ形式の伝送データフォーマットを説明するための図である。付随データを伝送するためのＡＭ８２４Ｄａｔａ形式の伝送データフォーマットは、図５に示すように、３２ビット（１ｑｕａｄｌｅｔ）のデータ長を有し、ＭＳＢ側に８ビットのラベル部を有することは、図３に示したオーディオデータを伝送するためのＡＭ８２４Ｄａｔａのフォーマットと同様である。
【００６４】
しかし、付随データを伝送する場合には、ＭＳＢ側の８ビットのラベルの次に、８ビットのサブラベルが付加するようにされる。このため、図５に示すように、ＭＳＢ側のラベル部の次にサブラベル部が設けられている。そして、サブラベル部の次に１６ビット分の付随データ部が設けられ、付随データは、１６ビット（２ｂｙｔｅ（バイト））単位に送信されることになる。
【００６５】
そして、付随データを送信する場合にラベルは、図４にも示し、また、図５のラベル部にも示すように、Ｃ０ｈからＥＦｈまでが用いられるようにされる。そして、この実施の形態において付随データの送信に用いられるラベルであるＣ０ｈからＥＦｈは、次のように使い分けられる。
【００６６】
図６は、付随データの送信用のラベルについて説明するための図である。付随データ送信用のラベルＣ０ｈからＥＦｈは、図６Ａに示すように、大きくわけると、Ｃ０ｈからＣＦｈまでの一般付随データ用と、Ｄ０ｈからＥＦｈまでのアプリケーションごとの付随データ用とに分けられる。
【００６７】
そして、図６Ｂに示すように、一般付随データ用のラベルであるＣＦｈは、付随データが無い状態を意味するものとして用いられる。また、アプリケーションごとの付随データ用のラベルであるＤ０ｈは、ＤＶＤ−Ａｕｄｉｏ用の付随データであることを示すものとして用いられ、アプリケーションごとの付随データ用のラベルであるＤ１ｈは、ＳＡＣＤ用の付随データであることを示すものとして用いられる。
【００６８】
したがって、図２に示したＤＶＤプレーヤ１のデジタルＩ／Ｆ部１３において、復号器１２から供給されるＤＭＣＴデータなどの付随データを送信するための送信データを形成する場合には、ラベルとしてＤ０ｈ（２進数表現に直すと「１１０１００００」）が用いられることになる。
【００６９】
そして、付随データを送信する場合には、さらにサブラベルを付すことになる。図７は、ＤＶＤ−Ａｕｄｉｏ用の付随データに付加されるサブラベルについて説明するための図である。この実施の形態においては、ＤＶＤ−Ａｕｄｉｏ用の付随データに付加されるサブラベルの代表例を図７に示す。
【００７０】
図７において、左側の値の欄には、実際に用いられるサブラベルを２進数で示し、説明の欄には、各サブラベルが示す内容の説明を示している。図７においてサブラベル「００００００００」は、現状は使用しない値（ＮｏｔＵｓｅ）とされている。また、サブラベル「０００００００１」は、毎ブロック単位に送信しなければならない付随データであることを示すものであり、サブラベル「００００００１０」は、オーディオデータの再生スタート時までには送信されなければならない付随データである。
【００７１】
そして、この実施の形態においては、ダウンミックス処理のために用いるＤＭＣＴデータを伝送する場合には、３つのサブラベル、「０００００１００」、「０００００１０１」、「００００００１１」を使い分けるようにしている。このＤＭＣＴデータは、データ量が多く複数回に分けて伝送しなければならない付随データであり、かつ、オーディオデータのように補間処理を行うことができないために、伝送過程における欠落が許容できずに、その全てを確実に伝送しなければならいものである。
【００７２】
前述もしたように、ＤＭＣＴデータは、マルチチャンネルのＤＶＤ−Ａｕｄｉｏ規格のリニアＰＣＭオーディオデータを送信先の装置、この実施の形態においては、オーディオアンプ３において、オーディオアンプ３のチャンネル数に応じ、かつ、ＤＶＤ−Ａｕｄｉｏ規格に則った方式で受信したオーディオデータに対するダウンミックス処理を行うために必要になるデータである。
【００７３】
具体的にＤＭＣＴデータは、ＤＶＤ−Ａｕｄｉｏ規格のマルチチャンネルリニアＰＣＭオーディオデータにおいて、実際に再生使用するにあたって必要となるオーディオデータのチャンネル数、各チャンネルごとのサンプリング周波数、その他ダウンミックス処理に必要となる各種のパラメータや計算方法を指示する情報などからなる付随データの１つであり、２８８バイト（２３０４ビット）のデータからなるものである。したがって、ＤＭＣＴデータをＤＶＤプレーヤ１からオーディオアンプ３に伝送する場合には、図５に示したフォーマットの伝送データとして伝送するので、１４４回に分けて伝送することになる。
【００７４】
そして、ＤＭＣＴデータを構成する各データは、そのそれぞれが重要な意味を持ち、２８８バイトのどの部分が欠落しても、受信側のオーディオアンプ３において正常なダウンミックス処理を行うことができなくなる。また、ＤＭＣＴデータの一部が欠落した場合に、オーディオデータのように、隣接するデータ間の相関を利用したデータ補間処理を行っても、正確に欠落したデータを復旧することはできないので意味がない。
【００７５】
そこで、この実施の形態においては、ＤＭＣＴデータの最初の２バイト分のデータを送信するために形成される送信データのサブラベルには、ＤＭＣＴデータの最初のデータであることを示すサブラベル（ＤＭＣＴのスタートデータサブラベル）である「０００００１００」を付加する。
【００７６】
さらに、ＤＭＣＴデータの最初のデータに続くＤＭＣＴデータを送信するために形成される送信データのそれぞれのサブラベルには、ＤＭＣＴデータの最初のデータに続くデータであることを示すサブラベル（ＤＭＣＴの（継続データサブラベル）である「０００００１０１」を付加する。
【００７７】
また、この実施の形態において、送信装置であるＤＶＤプレーヤ１は、１４４個に分割したＤＭＣＴデータを送信した直後に、ラベルと、ＤＭＣＴデータの終了を意味するサブラベル「００００００１１」と、異なるコンテンツ間のＤＭＣＴデータの識別に用いる情報である１ビットのテーブルパリティと、ＤＭＣＴデータの総和の下位１５ビット分とを有し、終了データとしての機能を有する３２ビットのデータを送信するようにする。
【００７８】
図８は、ＤＭＣＴデータの伝送する場合の送信データについて説明するための図である。図２に示したＤＶＤプレーヤ１のデジタルＩ／Ｆ部１３は、復号器１２からの２８８バイトのＤＭＣＴデータを送信する場合には、ＤＭＣＴデータを２バイト分づつ、１４４個に分割する。
【００７９】
そして、各分割データは、図８において、ＤＭＣＴ  Ｂｙｔｅ０、ＤＭＣＴ  Ｂｙｔｅ１、ＤＭＣＴ  Ｂｙｔｅ３、ＤＭＣＴ  Ｂｙｔｅ４、…が示すように、２バイト分ずつにまとめられ、これらにＤＶＤ−Ａｕｄｉｏデータの付随データ（Ａｎｃｉｌｌａｒｙ  Ｄａｔａ）であることを示すラベル「１１０１００００」（Ｄ０ｈ）を付加する。
【００８０】
さらに、最初に送信する２バイト分のＤＭＣＴデータには、最初の分割データであることを示すサブラベル「０００００１００」を付加し、続く２バイト分ごとのＤＭＣＴデータのそれぞれには、続く分割データであることを示すサブラベル「０００００１０１」を付加して、図５に示した３２ビットの送信データを形成し、これをデジタルバス２を通じてオーディオアンプ３に伝送する。
【００８１】
そして、図８に示すように、１番目から１４４番目までの１４４個の送信データにより、２８８バイトのＤＭＣＴデータの全部を伝送することができる。そして、１４５番目のデータとして、１ビットのテーブルパリティとＤＭＣＴデータの総和値（ＤＭＣＴ−ｓｕｍ）とを有する送信データを送信する。
【００８２】
この場合、サブラベルは、ＤＭＣＴデータの送信が終了したことを示すサブラベル「００００００１１」を付加して送信する。すなわち、ラベルが「１１０１００００」であって、サブラベル「００００００１１」を有する送信データをＤＭＣＴデータの送信の終了を示す終了データとして送信する。
【００８３】
そして、最初の分割データであることを示すサブラベルをもった送信データからＤＭＣＴデータの送信が終了したことを示すサブラベルをもった送信データまでを所定の間隔で繰り返し送信するようにしている。
【００８４】
そして、図２に示した受信装置であるオーディオアンプ３は、デジタルバス２を通じて伝送されてくるデジタルデータをデジタル入出力端子３１を介してデジタルＩ／Ｆ部３２が受信する。そして、デジタルＩ／Ｆ部３２は、受信したデジタルデータがＤＶＤ−Ａｕｄｉｏ規格のオーディオデータである場合には、これを音声処理部３３に供給する。
【００８５】
また、デジタルＩ／Ｆ部３２は、受信したデジタルデータが、ＤＭＣＴのスタートデータであることを示すサブラベルが付加された２バイト分の付随データが送信されてきたときには、これを先頭データとして必ず置き換えるようにし、ＤＭＣＴの継続データであることを示すサブラベル付加された２バイト分の付随データが送信されてきたときには、今までに受信したＤＭＣＴデータの最後のデータの次に書き込む（位置付ける）ようにする。
【００８６】
仮に、ＤＭＣＴデータの受信に失敗しても、ＤＭＣＴデータは、前述したように送信側から一定間隔で再送信されるので、受信側はそれを再受信することによって、２８８バイトの付随データを再生（復元）することができる。
【００８７】
そして、復元した２８８バイトのＤＭＣＴデータは、デジタルＩ／Ｆ部３２から制御部３５に供給され、制御部３５が供給を受けたＤＭＣＴデータ等のいくつかの必要な付随データに応じて、音声処理部３３を制御することによって、ダウンミックス処理を行い、２チャンネルのアナログオーディオ信号を形成して、これを対応する左スピーカ４Ｌ、右スピーカ４Ｒに供給して、ＤＶＤディスク１００に記録されていたＤＶＤ−Ａｕｄｉｏ規格のオーディオデータに応じた音声を左右のスピーカ４Ｌ、４Ｒから放音させる。
【００８８】
また、付随データの１つであるＤＭＣＴデータは、２８８バイトのデータ長を有し、これが２バイト分づつ１４４個に分割されて、ラベル、サブラベルが付加された図５に示したフォーマットで送信されてくるので、オーディオアンプ３のデジタルＩ／Ｆ部３３においては、ＤＭＣＴのスタートデータであることを示すサブラベルが付加されたＤＭＣＴデータと、ＤＭＣＴの継続データであることを示すサブラベル付加されたＤＭＣＴデータの数が１４４個になったか否かをカウントすることにより、ＤＭＣＴデータの全部を受信したか否かを判断することが可能となる。
【００８９】
また、終了データを意味し、ＤＭＣＴデータの総和値の下位１５ビットの情報を有する送信データをＤＭＣＴデータの送信終了直後に１４５番目の送信データとして送信することによって、受信側のオーディオアンプ３においては、ＤＭＣＴデータの受信終了を明確に検出することができる。
【００９０】
また、オーディオアンプ３側においても、受信したＤＭＣＴデータの総和を算出し、その下位１５ビット分の値と、終了データに含められたＤＭＣＴデータの総和値の下位１５ビット分の値とを比較することにより、ＤＭＣＴデータの全部を正確に受信したか否かを確実に判別することが可能となる。
【００９１】
このように、ＤＭＣＴデータを送信する図５に示した３２ビットの送信データに、ＤＭＣＴのスタートデータであることを示すサブラベル、あるいは、ＤＭＣＴの継続データであることを示すサブラベルを付して伝送することにより、受信側の機器、この実施の形態においては、オーディオアンプ３において、アイソクロナス通信により送信されてくる付随データを順次に受信して簡単に再生（復元）させることができる。
【００９２】
そして、ＤＭＣＴデータを送信するための送信データをカウントすることにより、さらには、ＤＭＣＴデータの総和を用いることによって、ＤＶＤプレーヤ１から送信されたＤＭＣＴデータの全部を確実に受信し終えたか否かを正確に知ることができる。そして、ＤＭＣＴデータの全部を受信し終えていないことが判明した場合には、再度のＤＭＣＴデータの受信を受けるようにするなどの適切な対応をとることが可能となる。
【００９３】
次に、Ａ＆ＭプロトコルのＡＭ８２４Ｄａｔａフォーマットの送信データを形成して送信するＤＶＤプレーヤ１のデジタルＩ／Ｆ部１３と、Ａ＆ＭプロトコルのＡＭ８２４Ｄａｔａフォーマットの送信データを受信して処理するオーディオアンプ３のデジタルＩ／Ｆ部３２について説明する。
【００９４】
まず、デジタルデータの送信側であるＤＶＤプレーヤ１のデジタルＩ／Ｆ部１３について説明する。図９は、ＤＶＤプレーヤ１のデジタルＩ／Ｆ部１３について説明するための図であり、デジタルＩ／Ｆ部１３の主要部を示したものである。図９に示すように、ＤＶＤプレーヤ１のデジタルＩ／Ｆ部１３は、リンク層送受信機１３１と、物理層送受信機１３２と、マイクロコンピュータ１３３とを有している。
【００９５】
リンク送受信機１３１は、送信データパケット複合変調器（以下、変調器という。）１３１１と送信バッファ１３１２とを有している。また、マイクロコンピュータ１３３は、図示しないがＣＰＵ、ＲＯＭ、ＲＡＭを備え、リンク層送受信機１３１を制御する機能を有するとともに、送信カウンタ１３３１、総和算部１３３２の機能をも実現している。
【００９６】
そして、図２を用いて前述したように、ＤＶＤディスク１００から読み出されたデジタルデータは、復号器１２において、ＤＶＤ−Ａｕｄｉｏ規格のリニアＰＣＭオーディオデータ（ＤＶＤ−Ａｕｄｉｏデータ）とＤＭＣＴデータなどの付随データとに分離される。そして、ＤＶＤ−Ａｕｄｉｏ規格のリニアＰＣＭオーディオデータは、デジタルＩ／Ｆ部１３のリンク層送受信機１３１の変調器１３１１に供給される。
【００９７】
変調器１３１１は、マイクロコンピュータ１３３からの制御に応じて、これに供給されたデジタルデータのＡＭ８２４Ｄａｔａフォーマットへの変換およびラベルやサブラベル付けを行う。オーディオデータの場合には、変調器１３１１は、図３に示したフォーマットの送信データ（パケット）を形成し、これを送信バッファ１３１２および物理層送受信機１３２、デジタル入出力端子１４を通じて、デジタルバス２に送出し、オーディオアンプ３に送信するようにする。
【００９８】
また、ＤＶＤプレーヤ１の復号器１２において分離された付随データであるＤＭＣＴデータは、デジタルＩ／Ｆ部１３のマイクロコンピュータ１３３に供給される。マイクロコンピュータ１３３は、供給されたＤＭＣＴデータを変調器１３１に供給して、図５に示したＡＭ８２４Ｄａｔａフォーマットの送信データ（パケット）を形成するように制御する。
【００９９】
そして、変調器１３１は、マイクロコンピュータ１３３からのＤＭＣＴデータを２バイト分づつ分割するようにして、図５に示したフォーマットの送信データを形成する。ここでは、ＤＶＤ−Ａｕｄｉｏであることを示すラベルだけでなく、スタートデータであることを示すサブラベル、あるいは、継続データであることを示すサブラベルが付加されることになる。
【０１００】
変調器１３１１において形成されたＤＭＣＴデータを送信するための送信データは、オーディオデータの場合と同様に、送信バッファ１３１２、物理層送受信機１３２、デジタル入出力端子１４を通じてデジタルバス２に送出され、オーディオアンプ３に送信される。
【０１０１】
このとき、マイクロコンピュータ１３３は、変調器１３１からの情報に基づいて、ＤＭＣＴデータを送信するための３２ビットの送信データの送信数を自己の例えばレジスタにより実現される送信カウンタ１３３１を用いてカウントするとともに、自己の例えばＲＡＭ作業領域として用い、総和算部１３３２の機能により、各送信データのＤＭＣＴデータの総和算を行う。この総和算は、例えば、ＤＭＣＴデータ１バイト単位に加算していくことによりＤＭＣＴデータの総和を求めるものである。
【０１０２】
この場合、送信データのカウントは、サブラベルがスタートデータであることを示す送信データを送信するようにする場合にカウント値を初期化し、その後においては送信データを送信するようにするごとに、カウント値に１を加算するようにする。そして、送信データのカウント値が１４３個となり、２８８バイトのＤＭＣＴデータの全部を送信したと判断した場合には、マイクロコンピュータ１３３は、テーブルパリティおよびＤＭＣＴデータの総和の下位１５ビットの情報とを有する終了データを形成するように、変調器１３１１を制御する。
【０１０３】
変調器１３１１は、図８の最下段に示したように、ラベルと、終了データであることを示すサブラベル、および、１ビットのテーブルパリティと、ＤＭＣＴデータの総和の下位１５ビットのデータとからなる終了データを形成し、これを送信バッファ１３１２、物理層送受信機１３２、デジタル入出力端子１４を通じてデジタルバス２に送出し、オーディオアンプ３に送信するようにする。
【０１０４】
このように、デジタルＩ／Ｆ部１３のリンク層送受信機１３１１が、データ量の多いデータを送信するために、データを分割する分割手段としての機能を有し、ラベル、あるいは、ラベルとサブラベルを付加してして、３２ビットのデータ長の送信データを形成する情報付加手段としての機能を有している。また、リンク層送受信機１３１１と、マイクロコンピュータ１３３とが協働することにより、終了データ形成手段としての機能を実現している。
【０１０５】
なお、ここでは、ＤＭＣＴデータ等の付随データは、ＤＶＤ−Ａｕｄｉｏの復号器１２からデジタルＩ／Ｆ部１３のマイクロコンピュータ１３３を通じてリンク層送受信機１３１に供給するものとして説明したが、これに限るものではない。図９において点線の矢印が示すように、ＤＭＣＴデータ等の付随データをＤＶＤ−Ａｕｄｉｏの復号器１２から直接的にデジタルＩ／Ｆ部の変調器１３１１に供給し、これを処理するようにすることもできる。
【０１０６】
次に、デジタルデータの受信側であるオーディオアンプ３のデジタルＩ／Ｆ部３２について説明する。図１０は、オーディオアンプ３のデジタルＩ／Ｆ部３２について説明するための図であり、デジタルＩ／Ｆ部３２の主要部を示したものである。図１０に示すように、オーディオアンプ３のデジタルＩ／Ｆ部３２は、物理層送受信機３２１と、リンク層送受信機３２２と、マイクロコンピュータ３２３とを有している。
【０１０７】
また、リンク送受信機３２２は、受信バッファ３２２１と受信データパケット複合復調器（以下、復調器という。）３２２２とを有している。また、マイクロコンピュータ３２３は、図示しないがＣＰＵ、ＲＯＭ、ＲＡＭを備え、リンク層送受信機３２２を制御する機能を有するとともに、受信カウンタ３２３１、総和算部３２３２の機能をも実現している。
【０１０８】
そして、デジタルバス２、デジタル入出力端子３１を通じて供給されたデジタルデータは、デジタルＩ／Ｆ部３２の物理層送受信機３２１に供給され、この物理層送受信機により受信され、リンク層送受信機３２２の受信バッファ３２２１を介して復調器３２２２に供給される。
【０１０９】
復調器３２２２は、これに供給されたデジタルデータのラベルを参照し、ラベルがＤＶＤ−Ａｕｄｉｏ規格のリニアＰＣＭオーディオデータであることを示すものであるときには、ラベル以降の２４ビットのリニアＰＣＭオーディオデータを後段の音声信号処理部３３に供給する。
【０１１０】
また、復調器３２２２は、これに供給されたデジタルデータのラベルが、付随データであるときには、これをマイクロコンピュータ３２３に供給する。この実施の形態においてマイクロコンピュータ３２３は、供給された受信データのサブラベルをも用いて、どのような付随データであるかを認識する。
【０１１１】
そして、マイクロコンピュータ３２３は、サブラベルが、ＤＭＣＴデータの最初のデータであることを示すものであるときには、今回受信した受信データのＬＳＢ側の２バイトの付随データをＤＭＣＴデータの先頭データとして、先に置き換えた先頭データと置き換えるようにする。また、マイクロコンピュータ３２３は、サブラベルが、ＤＭＣＴデータの継続データであることを示すものであるときには、今までに受信したＤＭＣＴデータの最後のデータの次に今回受信した受信データのＬＳＢ側の２バイトのＤＭＣＴデータを書き出す（位置付ける）。
【０１１２】
この処理は、例えば、マイクロコンピュータ３２３のＲＡＭが作業領域として用いられて行われる。そして、マイクロコンピュータ３２３は、ＤＭＣＴデータの先頭データの置き換えを行った場合には、例えば、自己のレジスタによって実現される受信カウンタ３２３１の値をリセットして「０」にし、ＤＭＣＴデータの送信データを受信して処理するごとに（書き出すごとに）、受信カウンタの値に「１」を加算する。
【０１１３】
また、マイクロコンピュータ３２３は、自己のＲＡＭを作業領域として用い、総和算部３２３２の機能により、受信データのＤＭＣＴデータ部分の総和を算出する。この総和の算出は、ＤＶＤプレーヤ１のデジタルＩ／Ｆ部１３のマイクロコンピュータ１３３の総和算部１３３２において行った総和の算出と同様に、例えば、ＤＭＣＴデータ１バイト単位に受信したＤＭＣＴデータについて加算していくことにより受信したＤＭＣＴデータの総和を求めるものである。
【０１１４】
そして、マイクロコンピュータ３２３の受信カウンタ３２３１により、最初のＤＭＣＴデータであることを示すサブラベルが付加された送信データから１４３個の送信データを受信した場合には、全てのＤＭＣＴデータを受信したと判断することができる。
【０１１５】
なお、最初のＤＭＣＴデータであることを示すサブラベルが付加された送信データからカウントを開始し、終了データまでのカウント値が１４５である場合に、全てのＤＭＣＴデータを受信したと判断するようにしてもよいし、最初のＤＭＣＴデータであることを示すサブラベルが付加された送信データからカウントを開始し、終了データの直前までのカウント値が１４４である場合に、全てのＤＭＣＴデータを受信したと判断するようにしてもよい。
【０１１６】
そして、さらに、終了データに含まれる送信されたＤＭＣＴデータの総和と、マイクロコンピュータ３２３の総和算部３２３２において算出するようにした受信したＤＭＣＴデータの総和とを比較し、一致している場合には、ＤＭＣＴデータの全てが欠落することなく受信できたと判断することができる。
【０１１７】
また、終了データを受信したにもかかわらずカウント値が足りない場合や、終了データに含まれるＤＭＣＴデータの総和と、受信したＤＭＣＴデータの総和とが異なる場合においては、ＤＭＣＴデータは正しく伝送されていないので、再度のＤＭＣＴデータの送受信を行うようにする。このようにすることによって、ＤＭＣＴデータを迅速かつ正確に送受信することができるようにしている。
【０１１８】
そして、マイクロコンピュータ３２３において、復元するようにされた２８８バイトのＤＭＣＴデータは、マイクロコンピュータ３２３からオーディオアンプ３の制御部３５に供給される。制御部３５は、これに供給されたＤＭＣＴデータ等の付随データに基づいて音声信号処理部３３を制御して、ＤＶＤ−Ａｕｄｉｏ規格に則ったダウンミックス処理を行い、左右２チャンネルのオーディオ信号を形成する。
【０１１９】
音声信号処理部３３において形成された左右２チャンネルのアナログオーディオ信号は、アナログオーディオ信号の出力端子３４Ｌ、３４Ｒを通じて、左右のスピーカ４Ｌ、４Ｒに供給され、これらのスピーカから音声が放音される。
【０１２０】
そして、オーディオアンプ３のデジタルＩ／Ｆ部３２が受信手段としての機能を有し、デジタルＩ／Ｆ部３２のリンク層送受信機３２２とマイクロコンピュータ３２３とが協働して、ＤＭＣＴデータなどの付随データの復元手段としての機能を実現するようにしている。また、マイクロコンピュータ３２３が、受信データをカウントする受信データカウント手段としての機能と、受信したＤＭＣＴデータの総和を算出する総和算出手段としての機能を備えている。
【０１２１】
なお、ここでは、ＤＭＣＴデータ等の付随データは、デジタルＩ／Ｆ部３２のマイクロコンピュータ３２３から後段の制御部３５に供給するものとして説明したがこれに限るものではない。図１０において、点線の矢印が示すように、リンク層送受信機３２２の復調器３２２２から直接的に後段の回路に供給するようにしてもよい。
【０１２２】
このように、ＤＶＤプレーヤ１のデジタルＩ／Ｆ部１３の主にリンク層送受信機１３１の変調器１３１１が、送信する比較的長いデータを所定の送信単位の分割データに分割し、ラベル、サブラベルを付すなどして送信データを作成する機能を実現し、オーディオアンプ３のデジタルＩ／Ｆ部３２の主にリンク層送受信機３２３の復調器３２２２とマイクロコンピュータ３２３とが、分割されて伝送されてくるデジタルデータの復元することができるようにしている。
【０１２３】
なお、この図１０の例においては、復調器３２２２からのＤＭＣＴデータ等の付随データは、デジタルＩ／Ｆ部３２のマイクロコンピュータ３２３に供給され、ここで復元するものとして説明した。しかし、これに限るものではない。受信データ単位の付随データをマイクロコンピュータ３２３を経由して後段の例えば制御部３５や音声信号処理部３３に供給して、これらの供給を受けた回路において、付随データを復元するようにしてもよい。また、リンク層送受信機３２２の復調器３２２２から直接に、受信した付随データを後段の制御部３５などに供給するようにすることもできる。
【０１２４】
また、図９においては、ＤＶＤ−Ａｕｄｉｏ規格のリニアＰＣＭオーディオデータを再生するＤＶＤプレーヤ１のデジタルＩ／Ｆ部１３を説明するために、データを送信するための機能しが説明しなかった。逆に、図１０においては、ＤＶＤ−Ａｕｄｉｏ規格のオーディオデータを処理するオーディオアンプ３のデジタルＩ／Ｆ部３２を説明するために、データを受信するための機能しが説明しなかった。
【０１２５】
しかし、ＤＶＤプレーヤ１もオーディオアンプ３もＩＥＥＥ１３９４規格のデジタルバスを通じて接続され、本来、双方向に送受信が可能とされる。すなわち、ＤＶＤプレーヤ１もまたオーディオアンプ３もまた相互にデータの送受が可能とされ、図９、図１０に示した送信装置としての機能と受信装置としての機能を合わせ持つようにされる。
【０１２６】
次に、図１１、図１２のフローチャートを参照しながら、この実施の形態のＤＶＤプレーヤ１におけるＤＭＣＴデータの送信処理と、オーディオアンプ３におけるＤＭＣＴデータの受信処理とについて説明する。
【０１２７】
まず、図１１を参照しながら、ＤＶＤプレーヤ１からＤＭＣＴデータを送信する場合の処理について説明する。図１１は、ＤＶＤプレーヤ１からＤＭＣＴデータを送信する場合のデジタルＩ／Ｆ部１３における処理を説明するためのフローチャートであり、主にリンク層送受信部１３１を制御するマイクロコンピュータ１３３の処理を説明するためのものである。
【０１２８】
前述したように、ＤＶＤ−Ａｕｄｉｏの復号器１２からのＤＭＣＴデータは、例えばマイクロコンピュータ１３３を通じてリンク層送受信機１３１の変調器１３１１に供給される。このとき、マイクロコンピュータ１３３は、変調器１３１１を制御して、サブラベルとしてスタートデータであることを示す情報を付した送信データを形成し、送信カウンタ１３３１のカウント値Ｓｎを初期化して０にする（ステップＳ１０１）。
【０１２９】
そして、マイクロコンピュータ１３３は、変調器１３１１を制御して、ステップＳ１０１において形成するようにした最初のＤＭＣＴデータを送信するための送信データを送信するようにする（ステップＳ１０２）。次に、マイクロコンピュータ１３３は、変調器１３１１を制御して、サブラベルに継続データであることを示す情報を付した送信データを形成し、送信カウンタ１３３１の値Ｓｎに１を加算する（ステップＳ１０３）。
【０１３０】
そして、マイクロコンピュータ１３３は、変調器１３１１を制御して、ステップＳ１０３において形成するようにした継続データであることを示すサブラベルが付加された送信データを送信するようにする（ステップＳ１０４）。
【０１３１】
そして、マイクロコンピュータ１３３は、送信カウンタ１３３１のカウント値Ｓｎが、１４３より小さいか否かを判断し（ステップＳ１０５）、小さいと判断したときには、ステップＳ１０３からの処理を繰り返す。また、ステップＳ１０５の判断処理において、送信カウンタ１３３１のカウント値Ｓｎが、１４３より小さくない、すなわち１４３以上であると判断したときには、マイクロコンピュータ１３３は、ＤＭＣＴ終了データを送信するようにし（ステップＳ１０６）、ＤＭＣＴデータを繰り返し再送信する必要があるか否かを判断する（ステップＳ１０７）。
【０１３２】
ステップＳ１０７の判断処理において、ＤＭＣＴデータの繰り返し再送信を行う必要があると判断したときには、マイクロコンピュータ１３３は、ステップＳ１０１からの処理を繰り返し、再度、ＤＭＣＴデータを初めから送信するようにする。また、ステップＳ１０７の判断処理において、ＤＭＣＴデータの繰り返し再送信を行う必要がないと判断したときには、マイクロコンピュータ１３３は、図１１に示すＤＭＣＴデータの送信処理を終了する。
【０１３３】
次に、図１２を参照しながら、オーディオアンプ３において行われるＤＭＣＴデータを受信する場合の処理について説明する。図１２は、オーディオアンプ３において、ＤＭＣＴデータを受信する場合のデジタルＩ／Ｆ部３２における処理を説明するためのフローチャートであり、主にリンク層送受信部３２２を制御するマイクロコンピュータ３２３の処理を説明するためのものである。
【０１３４】
この図１２に示す処理は、オーディオアンプ３のデジタルＩ／Ｆ部３２において、ＤＭＣＴデータに関するサブラベルが付加された送信データを受信した場合に実行される。まず、マイクロコンピュータ３２３は、リンク層送受信機３２２の復調器３２２２からの受信した受信データの確認を行い（ステップＳ２０１）、受信したデータが、ＤＭＣＴデータの最初の分割データであることを示すサブラベル（スタートデータサブラベル）が付加されたものか否かを判断する（ステップＳ２０２）。
【０１３５】
ステップＳ２０２の判断処理において、受信したデータは、最初の分割データであることを示すサブラベルが付加されたものでないと判断した場合には、再度初めから送信されるＤＭＣＴデータを待つ。
【０１３６】
ステップＳ２０２の判断処理において、受信したデータは、最初の分割データデータであることを示すサブラベルが付加されたものであると判断した場合には、受信データに含まれるＤＭＣＴデータを先頭のＤＭＣＴデータとして置き換え、受信カウンタ３２３１のカウント値Ｒｎを初期化して０にする（ステップＳ２０３）。
【０１３７】
そして、マイクロコンピュータ３２３は、次に受信した受信データを確認し（ステップＳ２０４）、受信したデータが、続く分割データであることを示すサブラベル（継続データサブラベル）が付加されたものか否かを判断する（ステップＳ２０５）。ステップＳ２０５の判断処理において、受信したデータは続く分割データであることを示すサブラベルが付加されたものでないと判断したときには、マイクロコンピュータ３２３は、ステップＳ２０２からの処理を繰り返し、受信したデータは、最初の分割データであることを示すサブラベルが付加されたものか否かを判断することになる。
【０１３８】
ステップＳ２０５の判断処理において、受信したデータは続く分割データであることを示すサブラベルが付加されたものである判断したときには、マイクロコンピュータ３２３は、受信データに含まれるＤＭＣＴデータを今までに受信したＤＭＣＴデータの最後のデータの次に書き込むようにし、受信カウンタのカウント値Ｒｎに１を加算する（ステップＳ２０６）。
【０１３９】
そして、マイクロコンピュータ３２３は、受信カウンタ３２３１のカウント値Ｒｎが、１４３より小さいか否かを判断し（ステップＳ２０７）、１４３より小さいと判断したときには、ステップＳ２０４からの処理を繰り返す。また、ステップＳ２０７の判断処理において、受信カウンタ３２３１のカウント値Ｒｎが、１４３より小さくない、すなわち、１４３以上になったと判断したときには、１４４個の全てのＤＭＣＴデータを受信したものと判断し、次に受信した受信データを確認する（ステップＳ２０８）。
【０１４０】
そして、ステップＳ２０８において確認した受信データが、ＤＭＣＴ終了データであるか否かを判断し（ステップＳ２０９）、ＤＭＣＴ終了データであるときには、この図１２に示す処理を終了する。また、ステップＳ２０９の判断処理において、ＤＭＣＴ終了データでないと判断したときには、ステップＳ２０２からの処理を繰り返す。
【０１４１】
そして、図１２には示さないが、スタートデータであることを示すサブラベルが付加された先頭のＤＭＣＴデータ用の送信データから１４５番目に受信した終了データに含まれるＤＭＣＴデータの総和を用いて、受信したＤＭＣＴデータの全部を正確に受信しているかを確認し、正確に受信していなかった場合には、ＤＭＣＴデータの再度の送信をＤＶＤプレーヤ１に期待することになる。ＤＶＤプレーヤ１は、前述したように、所定の間隔で繰り返し同じＤＭＣＴデータの伝送を行うことでこの期待に答える。
【０１４２】
そして、もし、送信側の都合などによりＤＭＣＴデータの送信が再度行われず、所定の時間が経過しても受信側がＤＭＣＴデータの受信に成功できなかった場合には、受信側は、例えば主データであるオーディオデータを受信していたとしても再生処理は行わず、音声出力はミュートし、異音の発生等のトラブルを防ぐ。また、必要に応じて受信側の機器の表示器等を通じてエラー表示を行う。また、必要に応じて送信側にもエラーの発生を通知することもできる。
【０１４３】
このように、ＤＭＣＴデータを送受信する場合に、単に、ＤＭＣＴデータの最初の分割データであることを示すサブラベルと続く分割データであることを示すサブラベルとの２種類のサブラベルを用い、また、送信データの数を送信側の機器でカウントし、受信データの数を受信側の機器でカウントすることにより、２８８バイトのＤＭＣＴデータを複雑な処理を行うことなく、迅速かつ確実に送信し、また、受信することができるようにすることができる。
【０１４４】
すなわち、分割されて送信されてくるＤＭＣＴデータには、順序付けなどされていないが、最初のデータと続くデータとは明確に区別することができるので、最初のデータ（先頭データ）を間違えることなく、かつ、続くデータについては、すべてのデータについて同じ処理を繰り返すことにより、受信側の機器において、ＤＭＣＴデータを簡単に無理なく復元して利用することができる。したがって、ＤＭＣＴデータの伝送品質を確保することができるとともに、送信装置、受信装置、送受信システムの設計への負荷を少なくすることができる。
【０１４５】
また、このようにすることによって、ＤＭＣＴデータの伝送が一時的に中断しし、その後に再開する場合に、中断した時点の状態から再開させるのか、最初からＤＭＣＴデータを送り直すようにするのかを受信側の装置が判断し処理するようにすることができる。
【０１４６】
つまり、ＤＭＣＴデータの伝送が一時的に中断した場合について考えると、以下の２つ中断状態が想定できる。すなわち、▲１▼中断原因が例えばＩＥＥＥ１３９４のバスリセットのような外的要因であるため、送信側、受信側ともに中断前のＤＭＣＴデータなどの情報、カウンタの値などの状態が失われておらず、そのままＤＭＣＴデータの受信を再開できる場合と、▲２▼中断原因が例えば送信側もしくは受信側の異常状態に起因しているため、送信側または受信側、もしくは、その双方の情報、状態が失われてしまった可能性があり、受信側はＤＭＣＴデータの受信を改めて最初からやり直す必要がある場合とがある。
【０１４７】
そして、ＤＭＣＴデータの伝送中に伝送が中断し、受信側の機器、この実施の形態の場合にはオーディオアンプ３のデジタルＩ／Ｆ部３２のマイクロコンピュータ３２３が、受信したＤＭＣＴデータが残っていた場合には、マイクロコンピュータ３２３は、前述の▲１▼の場合であると判断し、ＤＶＤプレーヤ１が再送信してきたＤＭＣＴデータを、受信カウンタのカウント値が示す次のカウント値に対応するＤＭＣＴデータとして受信の再開をすることができる。そして、ＤＭＣＴデータの送信の終了を示すサブラベルをもつデータを受信した時点で、そのＤＭＣＴデータのデータ数と、受信カウンタのカウント値との整合性がとれていれば、そのＤＭＣＴデータ全体の受信は終了したと判断する。
【０１４８】
この状態を示したのが図１３である。図１３に示すように、受信カウンタのカウント値がｎ−１番目のときに、ＤＭＣＴデータの伝送が中断した場合、先頭データからｎ−１番目までの受信データが残っていれば、ｎ番目のＤＭＣＴデータの送受信処理から再開させればよいことになる。
【０１４９】
そこでｎ番目からのＤＭＣＴデータからの送受信を再開させることにより、図１３に示すように、先頭のＤＭＣＴデータ（１番目のＤＭＣＴデータ）から末尾のＤＭＣＴデータ（１４４番目のＤＭＣＴデータ）の全部を正常に受信し、利用することができるようにされる。
【０１５０】
また、ＤＭＣＴデータの伝送中に伝送が中断し、受信側の機器、この実施の形態の場合にはオーディオアンプ３のデジタルＩ／Ｆ部３２のマイクロコンピュータ３２３が、受信したＤＭＣＴデータや受信カウンタのカウント値が残っていなかったり、あるいは、ＤＭＣＴデータのデータ数と、受信カウンタのカウント値との整合性がとれていなければ、マイクロコンピュータ３２３は、前述の▲２▼の場合であると判断し、ＤＶＤプレーヤ１によるＤＭＣＴデータの最初からの送信を期待する。
【０１５１】
この状態を示したのが図１４である。図１４に示すように、受信カウンタのカウント値がｎ−１番目のときに、ＤＭＣＴデータの伝送が中断した場合、ＤＭＣＴデータや受信カウンタのカウント値が正常に残っていなければ、１番目のＤＭＣＴデータからの送受信処理を行うようにしなければならない。
【０１５２】
そこで１番目からのＤＭＣＴデータからの送受信を再開させることにより、図１４に示すように、先頭のＤＭＣＴデータ（１番目のＤＭＣＴデータ）から末尾のＤＭＣＴデータ（１４４番目のＤＭＣＴデータ）の全部を再度の提供を受けることにより正常に受信し、利用することができるようにされる。
【０１５３】
このように、非同期通信方式を用いることなく、かつ、分割したＤＭＣＴデータのそれぞれにおいて異なる順序付けのためのデータを付加することなく、ＤＭＣＴデータの全部を正確に送信するようにすることができる。また、送信するＤＭＣＴデータのデータ長はあらかじめ決められており、何回に分割されて送信されるかはあらかじめ分かっている。このため、受信データをカウントすることにより、ＤＭＣＴデータの伝送経過を受信側の機器で管理し、ＤＭＣＴデータの全部を受信したか否かを受信側の機器で把握することができる。
【０１５４】
また、ＤＭＣＴデータの最後の分割データの直後には、終了データが送信されるので、この終了データを用いることにより、ＤＭＣＴデータの全部が送信されたのか否かを受信側の機器で判別することができる。また、終了データに含まれる送信したＤＭＣＴデータの総和と、受信したＤＭＣＴデータの総和を用いることによって、ＤＭＣＴデータの全部を正確に受信したか否かを受信側の機器で判別することができる。
【０１５５】
なお、前述の実施の形態においては、伝送するデジタルデータは、主情報データがＤＶＤ−Ａｕｄｉｏ規格のリニアＰＣＭオーディオデータであり、分割して伝送されるもののその欠落が容認されない付随データとしてダウンミックス処理に用いるＤＭＣＴデータである場合を例にして説明したが、主情報データや付随データは、これに限るものではない。
【０１５６】
主情報データは、様々な規格のオーディオデータやビデオデータであってもよい。また、付随データは、テキストデータ、複製制御を行う場合に用いられる複製制御情報、著作権者に関する情報などを通知するようにするための著作権情報など、分割してリアルタイム伝送されるが、伝送過程における欠落が容認（許容）できない各種の付随データを伝送する場合にこの発明を適用できる。
【０１５７】
また、この実施の形態においては、デジタルデータを送受する機器間を接続するデジタルバスとして、ＩＥＥＥ１３９４規格のデジタルバスを用いる場合を例にして説明した。しかし、デジタルバスは、ＩＥＥＥ１３９４規格のものに限るものではない。他の各種のデジタルバスでデジタルデータを伝送する場合にもこの発明を適用することができる。
【０１５８】
すなわち、ＩＥＥＥ１３９４以外の他の高速デジタルバスで、ラベル付けによる伝送データの識別を行う送受信システムであれば、複数回に分割して行うデータの送信において、この発明を適用することができる。要は、ＩＥＥＥ１３９４規格のデジタルバスにおけるアイソクロナス通信方式のように、そのプロトコル自身では送信側、受信側の間で、いわゆる通信のハンドシェイクが行われず、一方通行でデータが伝送される仕組みのシステムにこの発明を適用することができる。そして、この発明は、このようなシステムの送信側と受信側の状態同期を取るための有効な方策となる。
【０１５９】
また、前述した実施の形態においては、送信装置としてＤＶＤプレーヤを用い、受信装置としてオーディオアンプを用いる場合を例にして説明したが、送信装置、受信装置はこれに限るものではない。デジタルデータを送信するパーソナルコンピュータやデジタルデータの各種の再生装置にこの発明による送信装置を適用することができるし、また、送信されてくるデジタルデータを受信して処理するパーソナルコンピュータやデジタルデータの出力装置や再生装置あるいは記録装置などにこの発明による受信装置を適用することができる。
【０１６０】
すなわち、少なくとも、分割して伝送するようにされるが、その欠落が容認されないデジタルデータをリアルタイム送信する各種の送信装置にこの発明を適用することができる。また、分割してリアルタイム伝送されてくるデジタルデータであって、その欠落が容認されないデジタルデータを受信する各種の受信装置にこの発明を適用することができる。
【０１６１】
また、前述の実施の形態においては、送信装置であるＤＶＤプレーヤ１と受信装置であるオーディオアンプ３とは、有線で接続するようにしたが、無線により接続する場合にもこの発明を適用することができる。
【０１６２】
【発明の効果】
以上説明したように、この発明によれば、送信装置と受信装置との間で、送受信の確認を行うことなく、デジタルデータを複数回に分割して伝送する場合において、デジタルデータの伝送中に何かしらの事情で伝送が中断した場合であって、伝送状態が回復した後に、受信装置において受信するデータをそのまま引き続き連続更新することができるか、最初からデータの伝送をやり直さなければならないかという送信機器が期待する２つの選択肢のどちらを選択すればよいかを上位のプロトコルの介在なしに受信側が判断して処理することができる。
【０１６３】
また、複数回に分割して伝送するデジタルデータの最後の分割データの直後に分割して伝送されるデジタルデータの伝送終了を示す終了データを送信するようにすることにより、受信装置において、複数の分割データに分割されたデジタルデータを最後まで受信するようにしたか否かを確実に検出することができる。
【０１６４】
また、終了データに伝送の対象となったデジタルデータの総和を含めて送信することにより、送信した分割データの総和と受信した分割データの総和とを受信装置において比較することにより、分割データのすべてを正常に受信したか否かを迅速かつ簡単に判定することができる。
【０１６５】
また、受信した分割データの数を管理することにより、分割データの受信過程を正確に管理することができるとともに、送信された分割データの全部を欠落することなく受信したか否かを正確に知ることができる。
【０１６６】
また、テキストデータ、複製防止制御データ、著作権データ、主情報データを予め決められた方式に応じて再生するようにするための付随データなど、リアルタイム伝送する場合であっても、その欠落が容認されないデジタルデータをその全部を迅速かつ正確に伝送することができ、かつ、送信装置、受信装置の付加を増大させることもない。
【図面の簡単な説明】
【図１】この発明による送受信システム、送信装置、受信装置、送受信方法の一実施の形態が適用された送受信システムを説明するための図である。
【図２】図１に示した送受信システムをさらに説明するための図である。
【図３】図１、図２に示した送受信システムにおいて、オーディオデータなどの主情報データを送信するための送信データのフォーマット（ＡＭ８２４Ｄａｔａ）を説明するための図である。
【図４】図１に示したフォーマットにおいてラベルとして持ちいられるデータを説明するための図である。
【図５】図１、図２に示した送受信システムにおいて、ＤＭＣＴデータなどの付随データを送信するための送信データのフォーマット（ＡＭ８２４Ｄａｔａ）を説明するための図である。
【図６】図５に示したフォーマットにおいて付随データ用のラベルとして用いられるデータを説明するための図である。
【図７】図５に示したフォーマットにおいて付随データ用のサブラベルとして用いられるデータを説明するための図である。
【図８】付随データであるＤＭＣＴデータの伝送状態を説明するため図である。
【図９】図２に示したＤＶＤプレーヤ１のデジタルＩ／Ｆ部１３を説明するためのブロック図である。
【図１０】図２に示したオーディオアンプ３のデジタルＩ／Ｆ部３２を説明するためのブロック図である。
【図１１】ＤＭＣＴデータを分割送信する場合のＤＶＤプレーヤ（送信装置）側の処理を説明するためのフローチャートである。
【図１２】分割送信されてくるＤＭＣＴデータを受信する場合のオーディオアンプ（受信装置）側の処理を説明するためのフローチャートである。
【図１３】分割されて送信されるＤＭＣＴデータの伝送中断後の処理について説明するための図である。
【図１４】分割されて送信されるＤＭＣＴデータの伝送中断後の他の処理について説明するための図である。
【符号の説明】
１…ＤＶＤプレーヤ（送信装置）、１１…読み出し部、１２…復号器、１３…デジタルＩ／Ｆ部、１３１…リンク層送受信機、１３１１…送信データパケット複合変調器、１３１２…送信バッファ、１３２…物理層送受信機、１３３…マイクロコンピュータ、１３３１…送信カウンタ、１３３２…総和算部、１４…デジタル入出力端子、１５…制御部、２…ＩＥＥＥ１３９４規格のデジタルバス、３…オーディオアンプ（受信装置）、３１…デジタル入出力端子、３２…デジタルＩ／Ｆ部、３２１…物理層送受信機、３２２…リンク層送受信機、３２２１…受信バッファ、３２２２…受信データパケット複合復調器、３２３…マイクロコンピュータ、３２３１…送信カウンタ、３２３２…総和算部、３３…音声信号処理部、３４Ｌ…左アナログオーディオ信号出力端子、３４Ｒ…右アナログオーディオ信号出力端子、４Ｌ…左スピーカ、４Ｒ…右スピーカ、１００…ＤＶＤディスク
【図１】
0004560934.tif 000002
【図２】
0004560934.tif 000003
【図３】
0004560934.tif 000004
【図４】
0004560934.tif 000005
【図５】
0004560934.tif 000006
【図６】
0004560934.tif 000007
【図７】
0004560934.tif 000008
【図８】
0004560934.tif 000009
【図９】
0004560934.tif 000010
【図１０】
0004560934.tif 000011
【図１１】
0004560934.tif 000012
【図１２】
0004560934.tif 000013
【図１３】
0004560934.tif 000014
【図１４】
0004560934.tif 000015